(57)【特許請求の範囲】
【請求項１】
原稿台を有するフラットベッド読取装置と、上記原稿台を覆う原稿カバーと、第１回転軸を中心として、上記フラットベッド読取装置に対し、上記原稿カバーを開閉可能に連結するヒンジ部とを備え、
上記原稿台は、原稿が載置されるプラテンガラスと、上記プラテンガラスの周縁に隣接して配置され、上記プラテンガラスから露出する側面が原稿の位置決め用の基準面となるトップカバーとを有し、
上記原稿カバーは、上記原稿カバーの内部を上記原稿台側に向けて露出させるための開閉ユニットを上記原稿台と対向する底面に有するとともに、固定ピンを有し、
上記開閉ユニットは、第１回転軸と交差する第２回転軸を中心として回動することにより、上記原稿カバーの内部を露出させる開状態と、上記原稿カバーに収容される閉状態とを遷移可能であり、上記開閉ユニットを開状態にして上記原稿カバーが閉じられる場合に、上記基準面の上端に形成された稜線に対し最初に接触し、上記稜線に乗り上げる第１テーパー面と、
正方向に開口し、上記固定ピンと嵌合するためのフック部と、
上記フック部を回転させるための第３回転軸と、
上記フック部と一体的に回転するレバーとを有し、
上記フック部が、上記固定ピンを接触させるための第２テーパー面を有し、
上記開閉ユニットの開状態において上記原稿カバーが第１開閉位置まで閉じられる場合に、上記開閉ユニットが上記原稿台と接触して回動することにより、上記フック部が、第２テーパー面に沿って上記固定ピンを滑らせて、第３回転軸を中心に逆方向に最大限に回転し、上記レバーが、上記原稿台と接触することなく、上記原稿台側へ突出し、
上記開閉ユニットの開状態において上記原稿カバーが第１開閉位置から第２開閉位置まで閉じられる場合に、上記レバーが上記原稿台と接触して回転することにより、上記フック部が第３回転軸を中心に正方向に回転し、上記固定ピンと嵌合させることを特徴とする原稿読取装置。
【請求項２】
第１テーパー面は、上記稜線との接触時に、上記稜線と平行になり、かつ、上記トップカバー側が上記プラテンガラス側よりも高くなるように傾斜していることを特徴とする請求項１に記載の原稿読取装置。
【請求項３】
上記プラテンガラスが矩形からなり、
上記基準面は、第２回転軸と平行であることを特徴とする請求項１に記載の原稿読取装置。
【請求項４】
上記開閉ユニットは、上記フック部を正方向に回転させるように付勢する付勢手段を有し、
上記開閉ユニットの開状態において上記原稿カバーが第１開閉位置から第２開閉位置まで閉じられる場合に、上記付勢手段が、上記フック部を正方向に回転させて上記固定ピンと嵌合させることを特徴とする請求項１に記載の原稿読取装置。
【発明の詳細な説明】
【技術分野】
【０００１】
本発明は、原稿読取装置に係り、更に詳しくは、原稿カバーとフラットベッド部とが開閉可能に連結された原稿読取装置の改良に関する。
【背景技術】
【０００２】
開閉可能な原稿カバーによって原稿台が覆われている原稿読取装置には、原稿カバーの底部が開閉可能なものがある。例えば、原稿カバー内に搬送路が形成され、原稿を自動搬送するＡＤＦ装置を有する原稿読取装置では、搬送路上の原稿を案内するガイドユニットが原稿カバーの底部に配置され、このガイドユニットが開閉可能に構成されている。
【０００３】
このような原稿読取装置では、原稿の自動搬送が停止した場合、原稿カバー内の搬送路に残った原稿を容易に取り出すことができる。しかしながら、ガイドユニットを開いた場合、原稿カバーの底部からガイドユニットが張り出した状態となり、この状態で原稿カバーを閉じれば、ガイドユニットの先端がプラテンガラス及びトップカバー間の段差に引っ掛かり、ガイドユニットが原稿カバーに押圧されて破損するおそれがある。しかも、この段差はプラテンガラス上に載置される原稿の位置決めに用いられるものであるため、当該段差をなくすことはできない。
【０００４】
ガイドユニットの破損を抑制するには、例えば、バネを用いてガイド部を付勢し、ガイドユニットが自動的に閉じるように構成することが考えられる。この場合、ガイドユニットがユーザにより保持されていない限り、バネの付勢力によりガイドユニットが原稿カバー内に収納される。従って、ガイドユニットが開いた状態のままで原稿カバーが閉じられるのを抑制することができる。
【０００５】
バネを用いてガイドユニットが閉じるように付勢する構成では、ガイドユニットを開いた状態を維持するには、ユーザがガイドユニットを常に保持しておく必要があり、搬送路内の原稿を取り出しにくいという問題がある。また、閉じられたガイドユニットが固定されていないため、原稿の搬送状態が変動し易く、原稿詰まりが生じ易いという問題もある。
【発明の概要】
【発明が解決しようとする課題】
【０００６】
本発明は、上記事情に鑑みてなされたものであり、ユーザの操作性を低下させることなく、原稿カバーの底部からガイドユニットが張り出した状態で原稿カバーを閉じた場合に、ガイドユニットの破損を抑制することができる原稿読取装置を提供することを目的とする。また、原稿カバーの底面からガイドユニットが張り出した状態において原稿カバーを閉じた場合に、閉じられたガイドユニットを固定することができる原稿読取装置を提供することを目的とする。
【課題を解決するための手段】
【０００７】
第１の本発明による原稿読取装置は、原稿台を有するフラットベッド読取装置と、上記原稿台を覆う原稿カバーと、第１回転軸を中心として、上記フラットベッド読取装置に対し、上記原稿カバーを開閉可能に連結するヒンジ部とを備え、上記原稿台が、原稿が載置されるプラテンガラスと、上記プラテンガラスの周縁に隣接して配置され、上記プラテンガラスから露出する側面が原稿の位置決め用の基準面となるトップカバーとを有し、上記原稿カバーが、上記原稿カバーの内部を上記原稿台側に向けて露出させるための開閉ユニットを上記原稿台と対向する底面に有するとともに、固定ピンを有し、上記開閉ユニットが、第１回転軸と交差する第２回転軸を中心として回動することにより、上記原稿カバーの内部を露出させる開状態と、上記原稿カバーに収容される閉状態とを遷移可能であり、上記開閉ユニットを開状態にして上記原稿カバーが閉じられる場合に、上記基準面の上端に形成された稜線に対し最初に接触し、上記稜線に乗り上げる第１テーパー面と、正方向に開口し、上記固定ピンと嵌合するためのフック部と、上記フック部を回転させるための第３回転軸と、上記フック部と一体的に回転するレバーとを有し、上記フック部が、上記固定ピンを接触させるための第２テーパー面を有する。上記開閉ユニットの開状態において上記原稿カバーが第１開閉位置まで閉じられる場合に、上記開閉ユニットが上記原稿台と接触して回動することにより、上記フック部が、第２テーパー面に沿って上記固定ピンを滑らせて、第３回転軸を中心に逆方向に最大限に回転し、上記レバーが、上記原稿台と接触することなく、上記原稿台側へ突出する。また、上記開閉ユニットの開状態において上記原稿カバーが第１開閉位置から第２開閉位置まで閉じられる場合に、上記レバーが上記原稿台と接触して回転することにより、上記フック部が第３回転軸を中心に正方向に回転し、上記固定ピンと嵌合させる。
【０００８】
この様な構成によれば、開閉ユニットを開状態にして原稿カバーを閉じれば、開閉ユニットはプラテンガラスに接触する。この状態から、原稿カバーをさらに閉じれば、プラテンガラス上の接触位置が移動し、やがてトップカバーに近づき、基準面の上端に形成された稜線に対し開閉ユニットが接触する。このとき、当該稜線に対する開閉ユニットの接触面が、稜線に乗り上げる第１テーパー面になっているため、開閉ユニットが基準面を容易に乗り越えることができる。従って、原稿カバーを閉じる動作によって開閉ユニットを閉じることができ、開閉ユニットの破損を抑制することができる。また、開閉ユニットが開いている状態を維持するために開閉ユニットを保持する必要がないので、ユーザの操作性を低下させることがない。また、フック部の第２テーパー面に沿って固定ピンを滑らせることにより、フック部を逆方向に最大限に回転させるとともに、レバーを原稿台側へ突出させることができる。このため、簡単な構成により、フック部を固定ピンと嵌合させることができる。また、原稿カバーが第１開閉位置まで閉じられた後に、フック部をレバーと一体的に回動させ、フック部を固定ピンと嵌合させることができる。すなわち、第１開閉位置に到達する前にレバーが原稿台に接触してフック部が回動することを抑制し、固定ピンと精度よく嵌合させることができる。また、原稿カバーを閉じる動作により、フック部を回動させて固定ピンと嵌合させることができるので、ユーザの操作性を向上させることができる。
【０００９】
第２の本発明による原稿読取装置は、上記構成に加え、第１テーパー面が、上記稜線との接触時に、上記稜線と平行になり、かつ、上記トップカバー側が上記プラテンガラス側よりも高くなるように傾斜している。
【００１０】
この様な構成によれば、第１テーパー面上で基準面の上端の稜線を滑らせるように容易に移動することができる。従って、開閉ユニットは基準面を容易に乗り越えることができる。
【００１１】
第３の本発明による原稿読取装置は、上記構成に加え、上記プラテンガラスが矩形からなり、上記基準面が、第２回転軸と平行であるように構成される。
【００１２】
この様な構成によれば、第１テーパー面が乗り越えるべき基準面と、原稿カバーを閉じた場合に第１テーパー面が原稿台上を移動する方向とを略直交させることができる。このため、第１テーパー面が乗り越える基準面が、第２回転軸と直交する場合に比べて、容易に乗り越えることができる。
【００１５】
第４の本発明による原稿読取装置は、上記構成に加え、上記開閉ユニットが、上記フック部を正方向に回転させるように付勢する付勢手段を有し、上記開閉ユニットの開状態において上記原稿カバーが第１開閉位置から第２開閉位置まで閉じられる場合に、上記付勢手段が、上記フック部を正方向に回転させて上記固定ピンと嵌合させるように構成される。
【００１６】
この様な構成によれば、第１開閉位置まで閉じられる場合には、第２テーパー面が固定ピンに接触し、第１開閉位置から第２開閉位置まで閉じられる場合に、フック部を固定ピンと嵌合させることができる。また、固定ピンとフック部との嵌合状態が容易に解除されず、その後、原稿カバーを開いても原稿カバー内に収容した状態を維持することができる。
【発明の効果】
【００１９】
本発明による原稿読取装置は、開閉ユニットを開状態にして原稿カバーを閉じれば、開閉ユニットはプラテンガラスに接触する。この状態から、原稿カバーをさらに閉じれば、プラテンガラス上の接触位置が移動し、やがてトップカバーに近づき、基準面の上端に形成された稜線に対し開閉ユニットが接触する。このとき、当該稜線に対する開閉ユニットの接触面が、稜線に乗り上げる第１テーパー面になっているため、開閉ユニットが基準面を容易に乗り越えることができる。従って、原稿カバーを閉じる動作によって開閉ユニットを閉じることができ、開閉ユニットの破損を抑制することができる。また、開閉ユニットが開いている状態を維持するために開閉ユニットを保持する必要がないので、ユーザの操作性を低下させることがない。
【００２０】
また、フック部の第２テーパー面に沿って固定ピンを滑らせることにより、フック部を逆方向に最大限に回転させるとともに、レバーを原稿台側へ突出させることができる。このため、簡単な構成により、フック部を固定ピンと嵌合させることができる。
【図面の簡単な説明】
【００２１】
【図１】本発明の実施の形態による原稿読取装置の一構成例を示した外観図である。
【図２】図１の複合機１００の原稿カバー１０１を開いた状態を示した斜視図である。
【図３】図２の原稿押圧板５の左側を開いた様子を示した斜視図である。
【図４】図３のガイドユニット７の外観を示した斜視図である。
【図５】図３のガイドユニット７を後方から見た様子を示した図である。
【図６】図３の当接部７５の詳細構成例を示した図である。
【図７】図３の当接部７５の詳細構成例を示した図である。
【図８】ガイドユニット７を開状態にして原稿カバー１０１を閉じるときの様子を示した斜視図である。
【図９】テーパー面７５１が稜線２１ａに接触する様子をさらに詳しく示した図である。
【図１０】テーパー面７５１が稜線２１ａに接触する様子をさらに詳しく示した図である。
【図１１】原稿カバー１０１の内部構成の一例を示した模式図である。
【図１２】図１１の状態から原稿カバー１０１を閉じた様子を示した説明図である。
【図１３】図１２（ｂ）の状態から更に原稿カバー１０１を閉じたときの様子を示した模式図である。
【図１４】図１３の状態から更に原稿カバー１０１を閉じた様子を示した説明図である。
【図１５】ガイドユニット７が原稿カバー１０１に固定された様子を示した説明図である。
【発明を実施するための形態】
【００２２】
図１は、本発明の実施の形態による原稿読取装置の一構成例を示した外観図であり、原稿読取装置の一例として複合機１００が示されている。複合機（ＭＦＰ：Multifunction Peripheral）１００は、画像読取時に原稿の自動搬送を行うＡＤＦ（Auto Document Feeder）装置を有する原稿カバー１０１と、画像読取、印刷、ファクシミリ送受信などを行うＭＦＰ本体部１０２とによって構成される。
【００２３】
ＭＦＰ本体部１０２の上部には、原稿を載置するための原稿台１０２ａが配置され、この原稿台１０２ａを覆う原稿カバー１０１が開閉可能に配置されている。プラテンガラス１上の原稿は、原稿台１０２ａ内部の図示しない読取装置によって読み取られる。
【００２４】
原稿カバー１０１は、原稿トレイ１１１及び排出トレイ１１２を備え、その内部には自動搬送用の搬送路が形成されている。原稿トレイ１１１内の原稿は、１枚ずつ分離して繰り込まれ、搬送路に沿って搬送され、排出トレイ１１２へ排出される。この搬送路は、ＭＦＰ本体部１０２のコンタクトガラス３上を通過するように形成されており、原稿は、コンタクトガラス３上を通過する際に原稿台１０２ａ内部の図示しない読取装置によって読み取られる。つまり、この複合機１００は、ＡＤＦ方式の画像読取を行うこともできる。
【００２５】
図２は、図１の複合機１００の原稿カバー１０１を開いた状態を示した斜視図である。原稿台１０２ａは、プラテンガラス１、トップカバー２及びコンタクトガラス３からなる。また、原稿カバー１０１は、ヒンジ部４を介してＭＦＰ本体部１０２と連結され、原稿台１０２ａと対向する原稿カバー１０１の底面には、原稿押圧板５及び原稿露出口６が配置される。
【００２６】
なお、本明細書では、オペレータから見た場合の左右前後の方向を用いて、原稿読取装置における方向を説明することにする。つまり、ヒンジ部４の位置を後方、コンタクトガラス３及び原稿露出口６の位置を左手として説明する。
【００２７】
ヒンジ部４は、原稿カバー１０１とＭＦＰ本体部１０２とを開閉可能に連結する一対の連結部材であり、原稿カバー１０１及び原稿台１０２ａの後端部に取り付けられている。原稿カバー１０１は、ヒンジ部４によって、左右方向の第１の回転軸を中心として回転し、開閉することができる。原稿押圧板５は、プラテンガラス１に載置された原稿を押圧するための矩形板であり、その左側が開閉可能となっている。
【００２８】
プラテンガラス１は、原稿が載置される矩形のガラス板であり、載置された原稿に対して図示しないスキャナユニットが移動することにより、原稿の読取が行われる。トップカバー２は、プラテンガラス１を取り囲む樹脂カバーであり、プラテンガラス１の周縁に隣接して配置されている。
【００２９】
原稿カバー１０１内の搬送路上を自動搬送される原稿は、コンタクトガラス３を介して原稿台１０２ａ内部の図示しない読取装置によって順次に読み取られる。
【００３０】
図３は、図２の原稿押圧板５の左側を開いた様子を示した斜視図である。図中の（ａ）は、図２と同様に示した斜視図であり、図中の（ｂ）は、（ａ）の破線部Ａ内を拡大した斜視図である。原稿押圧板５の左側は、開閉可能なガイドユニット７に取り付けられている。
【００３１】
図２のガイドユニット７を閉じた状態（以下、閉状態という）では、ガイドユニット７が原稿カバー１０１内に収容され、ガイドユニット７の上面が原稿の搬送路８を形成している。このため、図３のガイドユニット７を開いた状態（以下、開状態という）では、原稿カバー１０１内の搬送路８を露出させることができる。つまり、原稿搬送の停止時にガイドユニット７を開けば、搬送路８上に残された原稿を取り出すことができる。このとき、ガイドユニット７の左側の自由端は、原稿台１０２ａ側へ張り出し、自由端のヒンジ部４側がプラテンガラス１に接触した状態となる。
【００３２】
ガイドユニット７の自由端のヒンジ部４側には、自由端の他の部分に比べて肉厚に形成された当接部７５が形成されており、ガイドユニット７を開けば、この当接部７５がプラテンガラス１に接触する。この状態で、原稿カバー１０１を閉じれば、プラテンガラス１上の当接位置が左に移動し、プラテンガラス１の左端に達する。さらに、原稿カバー１０１を閉じれば、当接部７５が、プラテンガラス１の左端におけるトップカバー２との段差を乗り越える。このため、ガイドユニット７を破損することなく、原稿カバー１０１を完全に閉じ、ガイドユニット７を原稿カバー１０１内に収納することができる。
【００３３】
図４及び図５は、図３のガイドユニット７を示した図である。図中の（ａ）は、ガイドユニット７を手前の左上方向から見た様子を示した斜視図である。図４（ｂ）は、ガイドユニット７を上から見た平面図であり、図４（ｃ）は、ガイドユニット７を後方の左上方向から見た様子を示した斜視図である。図５は、図３のガイドユニット７を後方から見た様子を示した図である。
【００３４】
ガイドユニット７は、原稿カバー１０１の底面に設けられた開閉ユニットであり、その右端付近には、原稿カバー１０１に連結される回転軸７４が形成されている。この回転軸７４は、ヒンジ部４の回転軸と略直交するように配置されており、ガイドユニット７は、回転軸７４を中心として回動し、開閉することができる。
【００３５】
ガイドユニット７は、略矩形状の底面を有している。また、その上面は、回転軸７４側では、厚さが略一定の平板状であるが、自由端側では、緩やかに湾曲する傾斜面からなり、自由端に向かって厚さが薄くなる形状を有している。自由端の後端には、ガイドユニット７の下面に沿って、ガイドユニット７の後端側面から後方へ突き出すように、当接部７５が形成されている。
【００３６】
また、ガイドユニット７の上面は、原稿の搬送路８を形成する壁面であり、リブ７２及び搬送ローラ７３が配置されている。リブ７２は、原稿の搬送方向に沿って延びる筋状の凸部であり、回転軸７４と直交するように多数形成されている。搬送ローラ７３は、原稿を搬送する搬送手段であり、自由端付近の中央及び回転軸付近の前後方向に配置されている。さらに、ガイドユニット７の上面の自由端には、薄板７１が形成されている。薄板７１は、薄い矩形状の板状部材であり、図２の原稿露出口６を通過した原稿をガイドユニット７上の搬送路８に案内する。
【００３７】
ガイドユニット７の前後方向の両側面には、一対のフック部７６が取り付けられている。フック部７６は、ガイドユニット７を原稿カバー１０１に固定する固定手段であり、共通の回転軸７７に固着され、互いに連動して回転軸７７を中心として回転する。回転軸７７は、ガイドユニット７の回転軸７４と平行となるように、ガイドユニット７内に配置されている。これらのフック部７６が、原稿カバー１０１内の固定ピン（不図示）と嵌合することにより、ガイドユニット７は、原稿カバー１０１内に収納された状態で固定される。
【００３８】
さらに、前方のフック部７６には、ロックレバー７８が固着され、フック部７６とともに一体的に回動する。ロックレバー７８は、フック部７６の下部に形成された操作レバーであり、ユーザがロックレバー７８を引けば、ガイドユニット７及び原稿カバー１０１の固定状態が解除され、ガイドユニット７は開閉自在になる。レバーストッパ７９は、ロックレバー７８の回動範囲を制限する規制手段であり、ロックレバー７８が、原稿カバー１０１内の奥深くに入り込むのを防止している。フック部７６は、図示しないバネなどの付勢手段により、フック部７６の突出方向へ回転するように付勢されている。このため、外力が加えられない状態では、レバーストッパ７９が、ロックレバー７８と接触した状態となっている。
【００３９】
図６及び図７は、図３の当接部７５の詳細構成例を示した図である。図６（ａ）は、図４（ｂ）の破線部Ｂ内を拡大して示した拡大図であり、図６（ｂ）は、図４（ｃ）の破線部Ｃ内を拡大して示した拡大図である。また、図７（ａ）は、当接部７５を下から見た平面図であり、図７（ｂ）は、当接部７５を後方の左下から見た斜視図である。
【００４０】
当接部７５は、平面視した形状が、矩形の一頂点を直線で切り欠いた五角形の形状からなり、この切り欠き量は下方へ行くほど大きくなっている。つまり、直方体をその高さ方向に対し傾いた平面で切り取って得られる立体形状であって、高さ方向に延びる４つの稜線のうち１つの稜線のみを切り取り、かつ、当該稜線を全て切り取ることにより得られる立体形状からなる。ここでは、上記平面をテーパー面７５１と呼ぶことにする。
【００４１】
当接部７５の上面７５２は、ガイドユニット７の底面と略平行な平面であり、その内側には肉抜き用の凹部が形成され、その外形は、矩形形状の左後方の頂点を切り欠いた五角形からなる。当接部７５の左側の端面７５３及び後方の端面７５４は、互いに直交する平面であり、いずれも上面側及び下面側の稜線が互いに平行に形成され、上面側が下面側よりも長い台形形状からなる。同様にして、テーパー面７５１も、上面側及び下面側の稜線７５１ａ，７５１ｂが互いに平行となる台形形状の平面であるが、上面側の稜線７５１ａが下面側の稜線７５１ｂよりも長く、左後方へせり出すように傾斜している。つまり、テーパー面７５１は、後方に行くほど右へ後退し、下方にいくほど右へ後退する傾斜面からなる。
【００４２】
図８は、ガイドユニット７を開状態にして原稿カバー１０１を閉じるときの様子を示した斜視図であり、図中の（ａ）は、図３（ａ）の状態から原稿カバー１０１をさらに閉じた場合の様子が示されている。また、図中の（ｂ）は、（ａ）の破線部Ｄ内を拡大して示した拡大図である。
【００４３】
トップカバー２の上面は、プラテンガラス１の上面より高い位置に形成されているため、プラテンガラス１の周縁には段差が形成されている。特に、プラテンガラス１の左端及び後端において、プラテンガラス１から露出させたトップカバー２の側面は、原稿の位置決め用の基準面２１として用いられており、基準面２１の上端には稜線２１ａが形成されている。ガイドユニット７は、これらの基準面２１に接触する際、その稜線２１ａに対し、当接部７５のテーパー面７５１を接触させることにより、基準面２１の段差を容易に乗り越えることができる。ここでは、ガイドユニットの７の当接部７５が、プラテンガラス１の左端の基準面２１を乗り越える場合について説明する。
【００４４】
ガイドユニット７が開状態になっている図３（ａ）の状態から、原稿カバー１０１を閉じれば、当接部７５がプラテンガラス１からの反力を受けて、ガイドユニット７も閉じていく。このため、原稿カバー１０１を閉じた角度に応じて、当接部７５がプラテンガラス１上を左方向へ移動する。そして、原稿カバー１０１を所定の角度まで閉じると、プラテンガラス１の左端に隣接する基準面２１に到達する。この基準面２１は、ガイドユニット７の回転軸７４と平行となっている。
【００４５】
ガイドユニット７が、基準面２１に当接する際、最初に接触するのは、ガイドユニット７の左後端に突出させて形成された当接部７５である。しかも、当接部７５は、その左後端にテーパー面７５１が形成されているため、このテーパー面７５１が、基準面２１に最初に接触する。このとき、テーパー面７５１は、基準面２１の稜線２１ａに覆い被さるように、上方から接触する。このため、原稿カバー１０１を更に閉じれば、テーパー面７５１は、稜線２１ａ上を滑って移動し、稜線２１ａに乗り上げる。このため、当接部７５は基準面２１を容易に乗り越えることができる。
【００４６】
図９及び図１０は、テーパー面７５１が稜線２１ａに接触する様子をさらに詳しく示した図である。図９は、図８（ａ）の矢印Ｅから見た矢視図、つまり、手前の右下方向から見た斜視図であり、図９の（ｂ）は、図９（ａ）のＦ−Ｆ切断線による断面図である。また、図１０は、後方から見た斜視図である。
【００４７】
当接部７５のテーパー面７５１が、基準面２１の稜線２１ａに最初に接触するとき、ガイドユニット７は、プラテンガラス１に対し、空間的に傾いた状態になっている。すなわち、ガイドユニット７の自由端は、前端が後端よりも高くなって上下方向に傾いている。しかも、前端が後端よりも右側に位置し、左右方向にも傾いている。
【００４８】
一方、テーパー面７５１も、ガイドユニット７の底面に対し、空間的に傾いた状態になっている。すなわち、上面側の稜線７５１ａが、後方に向かうほど回転軸７４側へ後退するように傾いている。また、下面側の稜線７５１ｂが、上面側の稜線７５１ａよりも回転軸７４側へ後退するように傾いている。
【００４９】
このため、基準面２１の稜線２１ａに接触するとき、テーパー面７５１が、稜線２１ａと平行となり、かつ、トップカバー２側がプラテンガラス１側よりも高くなるように傾斜させることができる。
【００５０】
図９（ｂ）に示した通り、テーパー面７５１は、上面側の稜線７５１ａから下面側の陵線７５１ｂに向かうにつれて回転軸７４側に後退するように傾斜している。このため、テーパー面７５１が稜線２１ａと平行となるように、テーパー面７５１を稜線２１ａに接触させることができる。従って、稜線２１ａに対しテーパー面７５１を滑らせ、当接部７５に基準面２１を容易に乗り越えさせることができる。
【００５１】
また、ガイドユニット７の自由端、つまり、薄板７１は、当接部７５から離れるにつれて上昇しながら基準面２１から後退していく。このため、図１０に矢印で示したガイドユニット７の移動方向に向かうにつれて、薄板７１は下降するように傾斜している。これに対し、テーパー面７５１は、左側の端面７５３に対し、稜線７５１ａ，７５１ｂを傾斜させて形成することにより、移動方向へ向かうにつれて上昇するように傾斜している。このため、基準面２１の稜線２１ａに対して、上方から覆い被さるようにテーパー面７５１を接触させることができ、テーパー面７５１上で稜線２１ａを滑らせるように容易に移動させることができる。このため、ガイドユニット７は基準面２１を容易に乗り越えることができる。
【００５２】
この様な構成を採用することにより、ガイドユニット７を開状態にして原稿カバー１０１を閉じれば、ガイドユニット７はプラテンガラス１に接触する。この状態から、原稿カバー１０１をさらに閉じれば、プラテンガラス１上の接触位置が移動し、やがてトップカバー２に近づき、基準面２１の上端に形成された稜線２１ａに対しガイドユニット７が接触する。このとき、当該稜線２１ａに対するガイドユニット７の接触面が、稜線２１ａに乗り上げるテーパー面７５１になっているため、ガイドユニット７が基準面２１を容易に乗り越えることができる。従って、原稿カバー１０１を閉じる動作によってガイドユニット７を閉じることができ、ガイドユニット７の破損を抑制することができる。また、ガイドユニット７が開いている状態を維持するためにガイドユニット７を保持する必要がないので、ユーザの操作性を低下させることがない。
【００５３】
特に、プラテンガラス１が矩形からなり、プラテンガラス１の左端及び後端に形成された基準面２１のうち、左端の基準面２１にテーパー面７５１が接触するので、基準面２１が、ガイドユニット７の回転軸７４と平行となる。このため、テーパー面７５１が乗り越えるべき基準面２１と、原稿カバー１０１を閉じた場合にテーパー面７５１が原稿台１０１上を移動する方向とを略直交させることができる。このため、テーパー面７５１が乗り越える基準面２１が、回転軸７４と直交する場合に比べて、容易に乗り越えることができる。
【００５４】
図１１は、原稿カバー１０１の内部構成の一例を示した模式図であり、ガイドユニット７が開いている状態が示されている。原稿カバー１０１は、原稿トレイ１１１、排出トレイ１１２、複数の搬送ローラ７３、ガイドユニット７、搬送路８、原稿押圧板５及び固定ピン１１４により構成される。
【００５５】
原稿トレイ１１１から繰り込まれた原稿は、搬送路８上を搬送され、読取位置Ｐにおいて原稿露出口６上を通過する。このとき、ＭＦＰ本体部１０２により、原稿露出口６を介して原稿の読取が行われる。読取の終了後、原稿は排出トレイ１１２へ排出される。
【００５６】
搬送ローラ７３は、搬送路８上の原稿を搬送する原稿搬送手段である。搬送ローラ７３は、図示しない駆動モータにより駆動される駆動ローラと、搬送路８を挟んで駆動ローラと対向して配置される従動ローラとからなる。
【００５７】
ガイドユニット７は、搬送路８上を搬送される原稿を案内する部材であり、右端下側に形成された回転軸７４を中心に回動させることにより、開閉可能に構成されている。ガイドユニット７の側面には、固定ピン１１４と嵌合するためのフック部７６が形成されている。ここでは、ガイドユニット７が開かれ、その左端が、ＭＦＰ本体部１０２側へ張り出した状態となっている。
【００５８】
原稿押圧板５は、図２のプラテンガラス１に載置された原稿を押圧するための矩形板である。原稿押圧板５の左端側の一部は、ガイドユニット７と一体的に開閉可能とである。
【００５９】
固定ピン１１４は、ガイドユニット７を原稿カバー１０１に固定させるための固定手段である。より詳しくは、ガイドユニット７のフック部７６と嵌合することにより、ガイドユニット７を原稿カバー１０１に固定させる。
【００６０】
図１２は、図１１の状態から原稿カバー１０１を閉じた様子を示した説明図であり、図中の（ａ）は、図１１と同様にして、原稿カバー１０１の内部構成の一例を示した模式図であり、図中の（ｂ）は、（ａ）の破線部Ｇ内を拡大して示した拡大図である。
【００６１】
ガイドユニット７を開いた状態において、原稿カバー１０１を閉じる動作により、ガイドユニット７が、原稿台１０２ａに押圧されて閉じる方向へ回動する。このため、図１２（ａ）に示すように、原稿カバー１０１を所定角度まで閉じれば、フック部７６が下方から固定ピン１１４に接近し、フック部７６の上部が固定ピン１１４に接触した状態となる。ここでは、原稿カバー１０１を閉じる場合に、フック部７６と固定ピン１１４とが接触し始める位置を「ピン当接位置」と呼ぶものとする。
【００６２】
図１２（ｂ）に示すように、前方のフック部７６は、ピン保持部７６ｃ、回転軸７７及びロックレバー７８を備えている。フック部７６は、固定ピン１１４と嵌合するための固定手段であり、その上端には、固定ピン１１４を接触させるためのテーパー面７６ｓが形成され、さらにテーパー面７６ｓの下側に隣接してピン保持部７６ｃが形成されている。テーパー面７６ｓは、回転軸７７に近づくにつれて固定ピン１１４側にせり出すように形成された傾斜面である。ピン保持部７６ｃは、固定ピン１１４を保持することにより、ガイドユニット７の開閉動作を規制するための凹部であり、時計方向に開口している。
【００６３】
ロックレバー７８は、固定ピン１１４とフック部７６との嵌合状態をユーザが切り替えるための操作部であり、フック部７６の回転軸７７より下側から左方向へ延びる平板状部材からなる。例えば、ガイドユニット７が閉じられ、固定ピン１１４とフック部７６とが嵌合している状態では、ユーザがロックレバー７８の左端を下方に押し下げることによって嵌合状態が解除され、ガイドユニット７が開閉自在になる。
【００６４】
図１３は、図１２（ｂ）の状態から更に原稿カバー１０１を閉じたときの様子を示した模式図である。原稿カバー１０１をピン当接位置から更に閉じれば、ガイドユニット７が原稿台１０２ａに接触して回動することにより、固定ピン１１４がテーパー面７６ｓに接触した状態でフック部７６が更に上方へ移動する。このとき、フック部７６が、テーパー面７６ｓに沿って固定ピン１１４を滑らせることにより、フック部７６は、回転軸７７を中心に反時計回りに回動する。ここでは、フック部７６が反時計回りに最も回転した位置に到達した時の原稿カバー１０１の開閉位置を「第１開閉位置」とする。
【００６５】
図１３には、原稿カバー１０１を第１開閉位置まで閉じた状態が示されている。このとき、フック部７６が回転軸７７を中心に反時計回りに最大限に回動し、ロックレバー７８が原稿台１０２ａ側へ突出した状態となる。また、ロックレバー７８は、原稿台１０２ａに接触していない。
【００６６】
図１４は、図１３の状態から更に原稿カバー１０１を閉じたときの様子を示した斜視図であり、左前方から原稿カバー１０１及び原稿台１０２ａを見た場合の様子が示されている。この図では、原稿カバー１０１と原稿台１０２ａとの間にロックレバー７８が示されている。第１開閉位置から原稿カバー１０１を更に閉じると、図１４に示すように、原稿台１０２ａ側に突出したロックレバー７８の後端がトップカバー２に接触した状態となる。このときの原稿カバー１０１の開閉位置を「レバー当接位置」と呼ぶことにする。
【００６７】
図１５は、ガイドユニット７が原稿カバー１０１に固定された様子を示した説明図であり、図中の（ａ）は、図１２（ａ）と同様にして、原稿カバー１０１の内部構成の一例を示した模式図であり、図中の（ｂ）は、（ａ）の破線部Ｈ内を拡大して示した拡大図である。
【００６８】
ガイドユニット７を閉じて原稿カバー１０１に固定した状態では、図１５（ａ）に示すように、ガイドユニット７が原稿カバー１０１に収容され、ガイドユニット７の上面が原稿の搬送路８を形成する。このとき、フック部７６及び固定ピン１１４が嵌合することにより、ガイドユニット７が精度良く位置決めされ、ガイドユニット７の位置ずれによる原稿詰まりなどが抑制される。
【００６９】
図１５（ｂ）に示すように、ガイドユニット７が閉じられた状態では、フック部７６及び固定ピン１１４が嵌合した状態となる。この状態では、固定ピン１１４がピン保持部７６ｃ内に保持されることにより、ガイドユニット７の開閉動作が規制される。
【００７０】
すなわち、原稿カバー１０１が第１開閉位置より更に閉じられた場合、ロックレバー７８が原稿台１０２ａに押圧されることにより、図１３に示した状態からフック部７６が回転軸７７を中心に時計回りに回転し、図１５（ｂ）に示すように、フック部７６及び固定ピン１１４が嵌合した状態となる。このときの原稿カバー１０１の開閉位置を「第２開閉位置」とする。
【００７１】
ガイドユニット７には、図示しないバネなどの付勢手段が配置されており、フック部７６を時計回りに回転させるように付勢している。このため、原稿カバー１０１が第１回転位置から第２回転位置まで閉じられれば、図１５（ｂ）に示すように、このバネがフック部７６を時計回りに回転させて固定ピン１１４に嵌合させる。ただし、例えば、バネの付勢力が十分でなく、あるいは、原稿カバー１０１と原稿台１０２ａとの間にわずかなすき間があることにより、フック部７６と固定ピン１１４とが十分に嵌合しない場合がある。この場合でも、フック部７６が原稿台１０２ａに接触して回転することにより、フック部７６を時計回りに回転させ、フック部７６を固定ピン１１４と嵌合させることができる。
【００７２】
なお、一対のフック部７６は、いずれも回転軸７７に固着され、互いに連動する。すなわち、他方のフック部７６も、ロックレバー７８を有していない点を除き全く同様であるため、重複する説明を省略する。
【００７３】
本実施の形態では、フック部７６のテーパー面７６ｓに沿って固定ピン１１４を滑らせることにより、フック部７６を反時計回りに最大限に回転させるとともに、ロックレバー７８を原稿台１０２ａ側へ突出させることができる。このため、簡単な構成により、フック部７６を固定ピン１１４と嵌合させることができる。
【００７４】
また、第１開閉位置まで閉じられる場合には、フック部７６のテーパー面７６ｓが固定ピン１１４に接触し、第１開閉位置から第２開閉位置まで閉じられる場合に、フック部７６を固定ピン１１４と嵌合させることができる。また、固定ピン１１４とフック部７６との嵌合状態が容易に解除されず、その後、原稿カバー１０１を開いても原稿カバー１０１内に収容した状態を維持することができる。
【００７５】
従来の原稿読取装置では、フック部７６が反時計回りに回転して第１開閉位置に到達する前に、ロックレバー７８が原稿台１０２ａに接触し、フック部７６を時計回りに回転させることがあった。この場合、フック部７６が、第１開閉位置に到達することができず、固定ピン１１４とフック部７６とを十分に嵌合させることができないという問題があった。
【００７６】
これに対し、本実施の形態の複合機１００では、原稿カバー１０１が第１開閉位置まで閉じられた後に、フック部７６をロックレバー７８と一体的に回動させ、フック部７６を固定ピン１１４と嵌合させることができる。すなわち、第１開閉位置に到達する前にロックレバー７８が原稿台１０２ａに接触してフック部７６が回動することを抑制し、固定ピン１１４と精度よく嵌合させることができる。また、原稿カバー１０１を閉じる動作により、フック部７６を回動させて固定ピン１１４と嵌合させることができるので、ユーザの操作性を向上させることができる。
【００７７】
なお、本実施の形態では、原稿カバー１０１の内部を原稿台１０２ａ側に向けて露出させるための開閉ユニットとして、搬送路上の原稿を案内するガイドユニット７が配置される場合の例について説明した。しかしながら、本発明はこれに限定されない。例えば、開閉ユニットとして、原稿カバー１０１内に原稿を収納するための原稿収納用カバーが配置される構成であっても良い。
【００７８】
また、本実施の形態では、原稿の位置決め用の基準面２１が形成され、当該基準面２１の上端の稜線２１ａに当接部７５を接触させる場合の例について説明した。しかしながら、本発明は、これに限定されない。例えば、基準面２１の上端にテーパー面が形成されている構成であっても、同様にして適用することができる。
【００７９】
また、本実施の形態では、ヒンジ部４の回転軸とガイドユニット７の回転軸とが略直交する場合の例について説明したが、本発明は、これに限定されるものではなく、ヒンジ部４の回転軸とガイドユニット７の回転軸とが交差する構成であればよい。
【００８０】
また、本実施の形態では、バネの付勢力と、原稿台１０２ａに接触したロックレバー７６の反作用とにより、フック部７６を固定ピン１１４に嵌合させる構成について説明した。しかしながら、本発明は、バネとロックレバー７６とをいずれも備える構成に限定されない。例えば、バネなどの付勢手段及びロックレバー７６のいずれかにより、フック部７６を固定ピン１１４に嵌合させる構成であっても良い。
【符号の説明】
【００８１】
１    プラテンガラス
２    トップカバー
３    コンタクトガラス
４    ヒンジ部
５    原稿押圧板
６    原稿露出口
７    ガイドユニット
８    搬送路
２１    基準面
２１ａ    稜線
７４    ロックレバー
７５    当接部
７４，７７    回転軸
１００    複合機
１０１    原稿カバー
１０２    ＭＦＰ本体部
１０２ａ    原稿台
１１４    固定ピン
７５１    テーパー面
７６      フック部
７７      回転軸
７８      ロックレバー
７６ｃ    ピン保持部
【図１】
0005857558.tif 000002
【図２】
0005857558.tif 000003
【図３】
0005857558.tif 000004
【図４】
0005857558.tif 000005
【図５】
0005857558.tif 000006
【図６】
0005857558.tif 000007
【図７】
0005857558.tif 000008
【図８】
0005857558.tif 000009
【図９】
0005857558.tif 000010
【図１０】
0005857558.tif 000011
【図１１】
0005857558.tif 000012
【図１２】
0005857558.tif 000013
【図１３】
0005857558.tif 000014
【図１４】
0005857558.tif 000015
【図１５】
0005857558.tif 000016